(57)【要約】【課題】ブラシや芯線に損傷を生じさせることなく、容易に芯線の挿入及び引き抜きができる回転研磨具を提供する。【解決手段】回転研磨具１の本体２の内側中央には、ケーブル２０を挿通する挿通領域１０が形成されている。この挿通領域１０を挟んでブラシ体４が対向配置されている。ブラシ体４には、挿通方向奥側に支持ピン６が接続されており、支持ピン６は頭部６ｃを本体２の外部に突出するように貫通孔２ａに遊貫されている。支持ピン６には、圧縮状態でスプリング８が外嵌され、スプリング８によりブラシ体４は挿通領域１０側へ付勢されている。外力が加わらない状態において、ブラシ体４のブラシ４ａは、挿通領域１０内に一部侵入するように配置されている。【選択図】図１
2014083643.tif 000002
【特許請求の範囲】
【請求項１】
ケーブルの中心軸周りに回転するブラシにより前記ケーブルの表面を研磨する回転研磨具であって、
前記ケーブルの挿通領域が形成され、挿通方向奥側に貫通孔が形成された本体と、
前記挿通領域内に前記ブラシの先端を侵入させる状態で配置された少なくとも１つのブラシ体と、
一端に形成された頭部を外側に残して前記貫通孔に遊貫され、他端が前記ブラシ体の挿通方向奥側に固定されている支持ピンと、
前記本体に対して前記ブラシ体を前記挿通領域側へ付勢する付勢手段と、
を備えたことを特徴とする回転研磨具。
【請求項２】
前記付勢手段は、前記本体の内側と前記ブラシ体との間に圧縮状態で前記支持ピンに外嵌されたスプリングであることを特徴とする請求項１に記載の回転研磨具。
【請求項３】
２つの前記ブラシ体が、前記挿通領域を挟んで、互いに前記ブラシを対向させるように配置されていることを特徴とする請求項１又は２に記載の回転研磨具。
【請求項４】
前記ブラシ体に対して、少なくとも、前記中心軸周りの回転方向逆側に、空隙が形成されていることを特徴とする請求項１から３のうち何れか１項に記載の回転研磨具。
【発明の詳細な説明】
【技術分野】
【０００１】
被覆電線等の芯線の表面の酸化被膜層を除去する回転研磨具に関するものである。
【背景技術】
【０００２】
被覆電線に使用されている金属性の芯線表面には絶縁性の酸化被膜が形成されやすい。このため、被覆を除去するだけでは不十分であり、酸化被膜を除去した上で端子接続作業を行う必要がある。
【０００３】
図６は、従来の電線先端部の磨き工具１０１を示している。磨き工具１０１には、下方に設けられた操作軸１０２に入力された回転力がカサ歯車１０３により伝達されて回転するハウジング１０９が設けられている。このハウジング１０９内には、チャンネル内捲ブラシ１０６が圧入固定されたブラシ受け１０５が備えられている。チャンネル内捲ブラシ１０６の中心部の開口径は、挿入される被覆電線１２０の導体１２０ａの外径よりも少し小さい寸法に設定されている。
【０００４】
この磨き工具１０１を用いると、酸化被膜が除去され、良好な接続状態を形成することができる。このような技術は例えば特許文献１に開示がある。
【先行技術文献】
【特許文献】
【０００５】
【特許文献１】特開平８−１６３７３０号公報
【発明の概要】
【発明が解決しようとする課題】
【０００６】
しかしながら、芯線（導体１２０ａ）の表面に対してブラシの先端を確実に接触させるために、ブラシの中心部の開口径は、研磨対象の被覆電線の導体の外形より少し小さい寸法になるよう設計されている。そして、導体挿入時にブラシが撓み、これにより生じる弾性力によりブラシ先端が導体に押し付けられ、導体の表面が研磨される。
【０００７】
このため、被覆電線（導体部分）の押し入れ抵抗が大きい。また、不用意に被覆電線を引き抜くと、ブラシの先端や芯線に損傷が生じ易い。
【０００８】
そこで、本発明では、上記の課題を解決するために、ブラシや芯線に損傷を生じさせることなく、容易に芯線の挿入及び引き抜きができる回転研磨具を提供することを目的とする。
【課題を解決するための手段】
【０００９】
上記目的を達成するため、本発明の回転研磨具は、ケーブルの中心軸周りに回転するブラシによりケーブルの表面を研磨する回転研磨具であって、ケーブルの挿通領域が形成され、挿通方向奥側に貫通孔が形成された本体と、挿通領域内にブラシの先端を侵入させる状態で配置された少なくとも１つのブラシ体と、一端に形成された頭部を外側に残して貫通孔に遊貫され、他端がブラシ体の挿通方向奥側に固定されている支持ピンと、本体に対してブラシ体を挿通領域側へ付勢する付勢手段と、を備えたことを特徴とする。
【００１０】
また、本発明の回転研磨具は、上記構成に加え、付勢手段は、本体の内側とブラシ体との間に圧縮状態で支持ピンに外嵌されたスプリングであることを特徴とする。
【００１１】
さらに、本発明の回転研磨具は、上記構成に加え、２つのブラシ体が、挿通領域を挟んで、互いにブラシを対向させるように配置されていることを特徴とする。
【００１２】
また、本発明の回転研磨具は、ブラシ体に対して、少なくとも、中心軸周りの回転方向逆側に、空隙が形成されていることを特徴とする。
【発明の効果】
【００１３】
以上のように、本発明によれば、支持ピンが本体の貫通孔に遊貫されているので、貫通孔を中心として揺動可能であるとともに、貫通孔内を摺動可能である。これにより、支持ピンが固定されたブラシ体は、挿通領域に挿通されるケーブルの中心軸に直交する方向への進退と、貫通孔を中心とした揺動とからなる複合運動可能な状態で本体に連結されている。
【００１４】
このため、ブラシ体は貫通孔を中心として揺動し、入口側を広げることができるので、ケーブルの挿通が容易である。また、挿通領域内にケーブルが完全に挿通され、挿通領域内に侵入していたブラシの先端が退避する際、支持ピンは貫通孔から外側へ突き出る。このとき、ブラシ体の運動方向は、ケーブルと略直交する方向に変わり、ブラシがケーブルに沿う方向に向くので良好な研磨姿勢を保つことができる。
【００１５】
また、本発明によれば、支持ピンにスプリングが外嵌されているので、ケーブルに対して直交する方向へのブラシ体を挿通領域側へ戻す力が生じる。また、本体の貫通孔を中心として揺動したブラシ体を、挿通方向に沿った方向へ戻す力も生じる。このように、簡易な構成により、ケーブルの受け入れを容易にするとともに、ブラシ体の姿勢を良好な状態に保って安定した研磨作業を行うことができる。
【００１６】
さらに、本発明によれば、ブラシ体が対向配置されているので、ケーブルに対して直交する方向へのブラシ体の進退動及び、貫通孔を中心とするブラシ体の揺動における変位量が半分で済む。これにより、ケーブルの受け入れ及び研磨作業における柔軟性が向上する。
【００１７】
また、本発明によれば、ブラシ体に対して、少なくとも、中心軸周りの回転方向逆側に、空隙が形成されているので、ケーブルを挿通後、回転研磨具を回転操作すると、ブラシ体の入口側が回転逆方向に取り残される形で傾斜する。これにより、撚り線の撚り合わせ方向に回転操作する場合、ブラシ体が撚り合わせ方向に沿うので、撚り線で形成された撚り溝に沿ってブラシがスムーズに摺接する。また、摺接するブラシからの反力を受けて、ケーブルを押し出す力が生じるので、回転研磨具の軸方向への摺動もスムーズに行うことが可能となる。
【図面の簡単な説明】
【００１８】
【図１】本発明の第１の実施の形態に係る回転研磨具の全体斜視図である。
【図２】図１の回転研磨具の立体分解図である。
【図３】図１の回転研磨具にケーブルを挿入する際の変化を示し、（ａ）はケーブルが未挿入の状態、（ｂ）は入口側にケーブルの端部が挿入された状態、（ｃ）は奥側までケーブルが挿通された状態を示した作用図である。
【図４】本発明の第２の実施の形態に係る回転研磨具の入口側の側面図である。
【図５】図４の回転研磨具を支持ピン側から見た側面図である。
【図６】従来の表面研磨装置を示した図である。
【発明を実施するための形態】
【００１９】
以下、本発明の実施の形態について図を用いて説明する。
【００２０】
（第１の実施の形態）
図１に本発明の第１の実施の形態に係る回転研磨具１の全体斜視図を示す。また、図２には回転研磨具１の立体分解図を示す。ただし、図１には、説明の便宜のため、図２に示した蓋部３は省略して示している。また、図１では、回転研磨具１の本体２の上半分を破断した状態で示している。
【００２１】
先ず、図１を参照して、この回転研磨具１の本体２の内部中央には、ケーブル２０が挿通可能な挿通領域１０が形成されている。この挿通領域１０を挟んで、本体２の挿通方向奥側の壁には、対向する位置に貫通孔２ａが形成されている。
【００２２】
また、挿通方向奥側には、挿通領域１０に延設されて連結筒部２ｂが形成されている。この連結筒部２ｂには、回転研磨具１をケーブル２０の中心軸２１周りに回転させるための回転駆動装置が連結されるが、ここではその構成を省略している。挿入されるケーブル２０は、図１に示されているように、被覆が除去された状態で矢印１２の方向へ挿通される。
【００２３】
図１、図２を参照して、貫通孔２ａには、支持ピン６の一端６ａ側に形成された頭部６ｃが、本体２の外側に突出するようにして貫通配置されている。そして、回転研磨具１に挿通されるケーブル２０に略直交する方向に延びる他端６ｂ側は、本体２の内側でブラシ体４の奥側へ接続されている。ここで、貫通孔２ａの開口径は、孔内で支持ピン６が軸振れ可能となるように、支持ピン６の外径よりもかなり大き目に形成されており、支持ピン６は遊貫状態となっている。
【００２４】
この支持ピン６には、スプリング８（付勢手段）が外嵌されている。このスプリング８は、本体２の内壁とブラシ体４との間において圧縮状態で配置されているので、ブラシ体４は挿通領域１０側へ付勢されて安定保持される。
【００２５】
ブラシ体４の位置は、外力が加わらない状態では、ブラシ４ａの先端が挿通領域１０内に一部侵入する形で保持されている。
【００２６】
このような構成により、支持ピン６が自身の長手方向に移動して貫通孔２ａ内を摺動する場合、ブラシ４ａの挿通領域１０への侵入深さが変化する。また、貫通孔２ａを支点として支持ピン６が揺動（軸振れ）する場合は、ブラシ体４の入口側が揺動し、挿通領域１０の入口側を開閉することができる。すなわち、これら貫通孔２ａ内の摺動と、貫通孔２ａを支点とする揺動とは複合的に行うことができるので、蛇が卵を呑み込むように、柔軟にケーブル２０を挿通させることが可能となる。
【００２７】
次に、このケーブル２０の挿通時におけるブラシ体４の動作について、図３を用いて説明する。図３は、ケーブル２０が回転研磨具１に挿入配置される過程を示しており、図３（ａ）にはケーブル２０が未挿入の状態、図３（ｂ）にはケーブル２０の先端がブラシ体４の入口側に僅かに掛かった状態、図３（ｃ）にはケーブル２０の先端がブラシ体４の奥側を通過して連結筒部２ｂまで進んだ状態が表わされている。
【００２８】
図３（ａ）から分かるように、ケーブル２０の挿通前の状態では、ブラシ４ａの先端は挿通領域１０内へ侵入した配置となっており、対向するブラシ体４の間隔はケーブル２０の外径よりも小さくなっている。
【００２９】
この状態から図３（ｂ）の状態へ移行すると、対向するブラシ体４はそれぞれ、挿入さ
れるケーブル２０の先端により、挿通領域１０内から排除され、貫通孔２ａを中心にして揺動する。これにより、ブラシ体４の入口側の間隔は広がり、ケーブル２０の先端が挿通領域１０内に進入する。
【００３０】
そして、ケーブル２０がさらに奥側へ進入すると、図３（ｂ）の状態で広がったブラシ体４の入口側の間隔を戻すように支持ピン６が元の角度に戻りつつ、奥側の間隔を広げるように支持ピン６の頭部６ｃ（図２参照）が本体２の外側へ突出する。このようにして、図３（ｃ）に示すように、ケーブル２０が奥側まで挿通され、ブラシ体４のブラシ４ａの全体がケーブル２０の表面に接する状態で姿勢が安定する。
【００３１】
図３（ｃ）の段階では、ケーブル２０が挿通方向奥側（連結筒部２ｂ側）へ進むので、貫通孔２ａを中心としたブラシ体４の揺動は抑えられ、ケーブル２０の長手方向に対するブラシ体４の平行状態が良好に保持される。また、収縮したスプリング８によりケーブル２０の表面に対して研磨のために十分な圧力が加えられる。
【００３２】
一般に、精度良く研磨を行うためには、ブラシの先端をケーブルの表面に対して適度な圧力で押し付ける必要がある。そこでこの圧力を得るために、挿通されるケーブルの外径よりもブラシの先端で形成される空間の方が狭くなるように設計される。これにより、ケーブル挿入時にブラシの弾性反発力に基づく圧力が得られる。しかし、この結果、ケーブルの挿通が困難になっている場合が多い。
【００３３】
これに比べて、本実施の形態に係る構成では、上述の複合動作によりブラシ体４の角度を変化させながら挿通領域１０から退避させ、ケーブル２０を柔軟に受け入れることができるので、作業効率が向上する。
【００３４】
また、ケーブル２０を柔軟に受け入れることができるので、芯線に不要な力が加わらず、撚り合わせが崩れることを防止することも可能である。
【００３５】
さらに、挿通状態のケーブル２０を引き抜く際には、ケーブル２０の先端位置が、長手方向において支持ピン６（貫通孔２ａ）の位置を通過し、入口側へ近づくと、貫通孔２ａを支点にしてブラシ体４が容易に揺動できる。このように、回転研磨具１の外へ完全に抜け出る前の段階でケーブル２０が解放されるので、撚り線の撚り合わせに損傷が生じることを防止できる。
【００３６】
加えて、本実施の形態に係る回転研磨具１の構成によれば、径の異なるケーブルに対しても同様に表面研磨を行うことができ、幅広く適用することが可能である。すなわち、従来は、ケーブルの挿入により撓ませたブラシの弾性反発力のみを利用して表面研磨を行う構成が殆どであったが、上記回転研磨具１では、ブラシ４ａの弾性反発力とスプリング８の反発力とが合成された力により適度な圧力を得ることができる。このため、比較的径の大きいケーブルを挿入した場合であっても、スプリング８が収縮することにより過度な反発力を吸収することができ、適度な圧力が生じるように緩衝材として作用する。
【００３７】
なお、上記の実施の形態では、本体２内に１対のブラシ体４を対向配置した構成を例として示したが、挿通領域１０の片側を閉じておけば、１つのブラシ体４で構成しても同様の効果を得ることができる。
【００３８】
また、上記の実施の形態では、付勢手段として支持ピン６の周りにスプリング８を嵌めた構成を例として示したが、貫通孔２ａを中心とした支持ピン６の揺動、及び貫通孔２ａ内の支持ピン６の摺動が可能な付勢手段であれば、スプリング以外の付勢手段でも良く、さらに、支持ピン６に外嵌されない構成であっても良い。
【００３９】
また、上記の実施の形態では、挿通領域１０が、円筒の一部を形成する曲面で形成されている構成を例として示したが、これに限らず、ケーブル２０をガイドできる構成であれば、例えば、複数の線材で構成されたガイドであっても構わない。
【００４０】
（第２の実施の形態）
次に、本発明の第２の実施の形態について、図面を用いて説明する。なお、ここでは、第１の実施の形態に示した回転研磨具１と同一の部材及び同一の構成については、同一の符号を付して説明する。
【００４１】
図４は、本実施の形態に係る回転研磨具５１を、ケーブル２０の挿通方向入口側から見た側面図を示している。ここでは説明の便宜のため、本体５２の入口側を塞ぐ蓋部３（図２を参照）は省略している。
【００４２】
図４（ａ）には、第１の実施の形態において図３（ｂ）に示したように、ケーブル２０（二点鎖線の円）の先端が挿通領域１０に挿入され、一対のブラシ体４の入口側の間が押し広げられた状態を示されている。また、図４（ｂ）には、図４（ａ）の状態において、回転研磨具５１を反時計回り方向へ回転させた状態が示されている。
【００４３】
図４（ａ）から分かるように、本実施の形態の回転研磨具５１と第１の実施の形態の回転研磨具１とは本体５２の空間の形状が異なっている。
【００４４】
具体的には、ブラシ体４と本体５２の内側との間に形成される隙間のうち、ケーブル２０に対する回転研磨具５１の回転方向の逆側において、他の隙間よりも大きな空隙２２が形成されている。これにより、図４（ａ）に示すような、挿入されたケーブル２０の先端とブラシ４ａの入口側とが当接した状態において、図４（ｂ）に示すように、回転研磨具５１を反時計回りの方向へ回転させると、ケーブル２０との間の摩擦力の作用によりブラシ体４の入口側が時計回りの方向へ残るように引き摺られて傾斜する。
【００４５】
この図４（ｂ）の状態を支持ピン６側から見た様子を図５に示す。図５から分かるように、回転研磨具５１はケーブル２０の線の撚り方向に回転操作されるので、ブラシ体４は撚り線の方向に沿った方向へ傾く。
【００４６】
このような構成により、表面研磨が必要な領域まで、一旦ケーブル２０を奥側まで挿通させた後、回転研磨具５１を回転させると、撚り線を構成する個々の線の隙間に形成された螺旋状の溝に沿ってブラシ４ａの先端が摺接移動する。これにより、螺旋状の溝を押し進むブラシ４ａの先端からの反力により、ケーブル２０には、回転研磨具５１から押し出される向き（入口側）へ力が働く。
【００４７】
すなわち、回転研磨具５１を回転操作することにより、ケーブル２０の長手方向に沿った推進力が生じるので、ケーブル２０の長手方向への送り動作がサポートされ、表面研磨を行うことが容易になり、作業効率が向上する。
【００４８】
また、第１の実施の形態において図１に示した回転研磨具１と同様に、ケーブル２０の挿入が容易になる効果も得ることができる。
【００４９】
なお、本実施の形態においても、第１の実施の形態と同様に、１対のブラシ体４を備えた構成を例として示したが、挿通領域の片側を塞いでいれば、一つのブラシ体で構成していても同様の効果を得ることができる。
【００５０】
また、第２の実施の形態では、２つのブラシ体４のそれぞれが、回転研磨具５１の回転方向に対して逆方向へ揺動可能となるように空隙２２が形成された構成を例として示したが、２つのブラシ体４のうち、少なくとも一方に対して空隙２２が形成されていれば、同様の効果を得ることができる。さらに、空隙２２は、ブラシ体４に対して回転研磨具５１の回転方向逆側のみではなく、両側へ形成されていても構わない。
【００５１】
また、上記各実施の形態では、貫通孔２ａが円形の穴で形成されている例を示したが、挿通方向に延びる長穴で形成されていれば、ブラシ体４の入口が開く方向への揺動が容易になる。
【符号の説明】
【００５２】
１、５１  回転研磨具
２、５２  本体
２a  貫通孔
２ｂ  連結筒部
３  蓋部
４  ブラシ体
４ａ  ブラシ
６  支持ピン
６ａ  一端
６ｂ  他端
６ｃ  頭部
８  スプリング（付勢手段）
１０  挿通領域
１２  挿通方向
１６  挿入口
２０  ケーブル
２１  中心軸
２２  空隙
【図１】
2014083643.tif 000003
【図３】
2014083643.tif 000004
【図４】
2014083643.tif 000005
【図６】
2014083643.tif 000006
【図２】
2014083643.tif 000007
【図５】
2014083643.tif 000008